(57)【要約】【課題】網点画像の再現性を向上させる。【解決手段】画像出力部６にて記録媒体に画像形成される網点画像に係る網点画像情報の補正を行う画像情報処理装置１００である。網点画像情報に基づいて、網点画像を構成する網点の縁部分及び複数の網点が重なり合ってなる重複領域の縁部分を検出する縁部分検出手段（例えば、制御部１）を備える。記録媒体の画像形成特性情報に基づいて規定された網点画像の色調に係る網点色調情報を取得する色調情報取得部４を備える。色調情報取得部４にて取得された網点色調情報に基づいて、縁部分検出手段にて検出された網点の縁部分及び重複領域の縁部分に係る画素の濃度を設定する縁部分濃度設定手段（例えば、制御部１）を備える。【選択図】図１
2005268900.tif 000002
【特許請求の範囲】
【請求項１】
画像出力手段により記録媒体に出力される網点画像に係る網点画像情報の補正を行う画像情報処理方法であって、
前記網点画像情報に基づいて、前記網点画像を構成する網点の縁部分及び複数の網点が重なり合ってなる領域の縁部分を検出する縁部分検出工程と、
前記画像出力手段の画像の出力特性に係る画像出力特性情報に基づいて規定された網点画像の色調に係る網点色調情報を取得する色調情報取得工程と、
前記色調情報取得工程にて取得された前記網点色調情報に基づいて、前記縁部分検出工程にて検出された前記網点の縁部分及び前記領域の縁部分に係る画素の濃度を設定する縁部分濃度設定工程と、
を備えることを特徴とする画像情報処理方法。
【請求項２】
前記記録媒体には、前記画像出力特性情報としての当該記録媒体の画像形成の特性に係る画像形成特性情報に基づいて規定された前記網点色調情報が付与され、
前記色調情報取得工程は、前記記録媒体から前記網点色調情報を取得することを特徴とする請求項１に記載の画像情報処理方法。
【請求項３】
前記色調情報取得工程は、前記画像出力手段により前記記録媒体に画像形成された色調取得用網点画像に基づいて、当該画像に係る前記網点色調情報を取得することを特徴とする請求項１に記載の画像情報処理方法。
【請求項４】
画像出力手段により記録媒体に出力される網点画像に係る網点画像情報の補正を行う画像情報処理装置であって、
前記網点画像情報に基づいて、前記網点画像を構成する網点の縁部分及び複数の網点が重なり合ってなる領域の縁部分を検出する縁部分検出手段と、
前記画像出力手段の画像の出力特性に係る画像出力特性情報に基づいて規定された網点画像の色調に係る網点色調情報を取得する色調情報取得手段と、
前記色調情報取得手段にて取得された前記網点色調情報に基づいて、前記縁部分検出手段にて検出された前記網点の縁部分及び前記領域の縁部分に係る画素の濃度を設定する縁部分濃度設定手段と、
を備えることを特徴とする画像情報処理装置。
【請求項５】
前記網点の縁部分及び前記領域の縁部分に係る画素の濃度と、当該画素の濃度設定の基準となる基準色調情報とが対応付けられて規定された濃度設定基準情報を記憶する基準情報記憶部を備え、
前記縁部分濃度設定手段は、前記基準情報記憶部に記憶された前記濃度設定基準情報の前記基準色調情報と前記色調情報取得手段にて取得された前記網点色調情報とを比較判定する色調情報判定手段を備え、前記色調情報判定手段による判定結果に基づいて、前記網点の縁部分及び前記領域の縁部分に係る画素の濃度を設定することを特徴とする請求項４に記載の画像情報処理装置。
【請求項６】
前記濃度設定基準情報は、前記網点の縁部分及び前記領域の縁部分に係る画素の濃度が当該網点の前記縁部分よりも内側の画素の濃度に基づいて規定されていることを特徴とする請求項５に記載の画像情報処理装置。
【請求項７】
画像出力手段により網点画像情報に基づいて網点画像を記録媒体に画像形成する画像形成方法であって、
前記網点画像情報に基づいて、前記網点画像を構成する網点の縁部分及び複数の網点が重なり合ってなる領域の縁部分を検出する縁部分検出工程と、
前記画像出力手段の画像の出力特性に係る画像出力特性情報に基づいて規定された網点画像の色調に係る網点色調情報を取得する色調情報取得工程と、
前記色調情報取得工程にて取得された前記網点色調情報に基づいて、前記縁部分検出工程にて検出された前記網点の縁部分及び前記領域の縁部分に係る画素の濃度を設定する縁部分濃度設定工程と、
前記縁部分濃度設定工程にて設定された前記網点の縁部分及び前記領域の縁部分に係る画素の濃度に従って前記網点画像情報の補正を行う画像補正処理工程と、を備え、
前記画像補正処理工程にて補正された前記網点画像情報に基づいて前記網点画像の画像形成を行うことを特徴とする画像形成方法。
【請求項８】
画像出力手段により記録媒体に画像形成される網点画像に係る網点画像情報の補正を行う画像情報処理装置と、前記記録媒体に関連する媒体関連情報と対応付けて、前記画像出力手段の画像の出力特性に係る画像出力特性情報に基づいて規定された網点画像の色調に係る網点色調情報を記憶する情報記憶装置と、を備える画像出力システムであって、
前記画像情報処理装置は、
前記網点画像情報に基づいて、前記網点画像を構成する網点の縁部分及び複数の網点が重なり合ってなる領域の縁部分を検出する縁部分検出手段と、
前記縁部分検出手段にて検出された前記網点の縁部分及び前記領域の縁部分に係る画素の濃度を設定する縁部分濃度設定手段と、
前記媒体関連情報を取得する媒体関連情報取得手段と、
前記媒体関連情報取得手段にて取得された前記媒体関連情報を前記情報記憶装置に対して出力する関連情報出力手段と、を備え
前記情報記憶装置は、
前記関連情報出力手段から出力され入力された前記媒体関連情報に対応する前記網点色調情報を取得する色調情報取得手段と、
前記色調情報取得手段にて取得された前記網点色調情報を前記画像情報処理装置に対して出力する色調情報出力手段と、を備え、
前記縁部分濃度設定手段は、前記色調情報出力手段から出力され入力された前記網点色調情報に基づいて、前記網点の縁部分及び前記領域の縁部分に係る画素の濃度を設定することを特徴とする画像出力システム。
【発明の詳細な説明】
【技術分野】
【０００１】
本発明は、網点画像情報の出力に係る画像情報処理方法、画像情報処理装置、画像形成方法、画像出力システムに関する。
【背景技術】
【０００２】
従来より、商業印刷においては、印刷物の内容や仕上がり品質をチェックする目的で、実際に使用される印刷機器で印刷を行う前に、印刷機器にて印刷される画像の色と極力近似させた色で再現した校正用カラー画像、所謂、プルーフ画像をカラープリンター等のプルーフ装置から出力するようになっている。
ここで、プルーフ画像は、印刷と同様に網点画像として出力される方がモアレなど網点画像に起因する品質のチェックを行う上で好ましい。そのような高精細なプルーフ画像の出力を図るために、例えば、ハロゲン化銀感光材料などの記録媒体を用いて画像形成を行う方法が提案されている（例えば、特許文献１参照。）。
【特許文献１】特開平８−３１４０８１号公報
【発明の開示】
【発明が解決しようとする課題】
【０００３】
ところで、プルーフ画像を網点で画像形成する場合、例えばベタ画像部分の色調を印刷物とほぼ同じになるように調整しても網点画像部分の色調が印刷物とズレを生じてしまうといった問題がある。
即ち、例えば特許文献１等のように、ハロゲン化銀感光材料を記録媒体として画像形成を行う場合には、露光量によって各網点の平面視における大きさが変動して、当該網点の縁部分と中央部分とで濃度に差が生じることとなる。特に、網点の大きさや縁部分と中央部分との濃度差は、例えば、記録媒体のロット差、記録媒体を製造後使用するまでの経過時間、装置の個体差、現像液活性レベルなどの装置の稼働状態等によって変動するため、網点画像の再現性が悪くなってしまう。
【０００４】
本発明の課題は、網点画像の再現性を向上させることができる画像情報処理方法、画像情報処理装置、画像形成方法、画像出力システムを提供することである。
【課題を解決するための手段】
【０００５】
上記課題を解決するため、請求項１に記載の発明は、
画像出力手段により記録媒体に出力される網点画像に係る網点画像情報の補正を行う画像情報処理方法であって、
前記網点画像情報に基づいて、前記網点画像を構成する網点の縁部分及び複数の網点が重なり合ってなる領域の縁部分を検出する縁部分検出工程と、
前記画像出力手段の画像の出力特性に係る画像出力特性情報に基づいて規定された網点画像の色調に係る網点色調情報を取得する色調情報取得工程と、
前記色調情報取得工程にて取得された前記網点色調情報に基づいて、前記縁部分検出工程にて検出された前記網点の縁部分及び前記領域の縁部分に係る画素の濃度を設定する縁部分濃度設定工程と、
を備えることを特徴としている。
【０００６】
ここで、縁部分とは、網点若しくは複数の網点が重なり合ってなる領域の端部に沿う内側及び外側の部分のことである。
また、網点画像の色調としては、例えば、Ｌ*ａ*ｂ*表色系にて規定される色相と彩度を示す色度ａ*や色度ｂ*等が挙げられる。さらに、ハンターＬａｂ表色系や、マンセル表色系、Ｌｕ*ｖ*表色系等にて規定されるものを網点画像の色調として用いても良い。
【０００７】
請求項１に記載の発明によれば、網点画像の色調に係る網点色調情報に基づいて、網点の縁部分及び複数の網点が重なり合ってなる領域の縁部分に係る画素の濃度を設定するので、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
【０００８】
請求項２に記載の発明は、請求項１に記載の画像情報処理方法において、
前記記録媒体には、前記画像出力特性情報としての当該記録媒体の画像形成の特性に係る画像形成特性情報に基づいて規定された前記網点色調情報が付与され、
前記色調情報取得工程は、前記記録媒体から前記網点色調情報を取得することを特徴としている。
【０００９】
請求項２に記載の発明によれば、請求項１に記載の発明と同様の効果が得られるのは無論のこと、特に、記録媒体から、画像出力特性情報としての当該記録媒体の画像形成の特性に係る画像形成特性情報に基づいて規定された網点色調情報を取得するので、記録媒体に応じて網点色調情報を適正に取得することができる。従って、網点画像情報の補正をより適正に行うことができる。
【００１０】
請求項３に記載の発明は、請求項１に記載の画像情報処理方法において、
前記色調情報取得工程は、前記画像出力手段により前記記録媒体に画像形成された色調取得用網点画像に基づいて、当該画像に係る前記網点色調情報を取得することを特徴としている。
【００１１】
請求項３に記載の発明によれば、請求項１に記載の発明と同様の効果が得られるのは無論のこと、特に、実際に記録媒体に画像形成された色調取得用網点画像に基づいて、当該画像に係る網点色調情報を取得することができることとなって、網点画像の再現性の向上をより適正に図ることができる。
【００１２】
請求項４に記載の発明は、
画像出力手段により記録媒体に出力される網点画像に係る網点画像情報の補正を行う画像情報処理装置であって、
前記網点画像情報に基づいて、前記網点画像を構成する網点の縁部分及び複数の網点が重なり合ってなる領域の縁部分を検出する縁部分検出手段と、
前記画像出力手段の画像の出力特性に係る画像出力特性情報に基づいて規定された網点画像の色調に係る網点色調情報を取得する色調情報取得手段と、
前記色調情報取得手段にて取得された前記網点色調情報に基づいて、前記縁部分検出手段にて検出された前記網点の縁部分及び前記領域の縁部分に係る画素の濃度を設定する縁部分濃度設定手段と、
を備えることを特徴としている。
【００１３】
請求項４に記載の発明によれば、網点画像の色調に係る網点色調情報に基づいて、網点の縁部分及び複数の網点が重なり合ってなる領域の縁部分に係る画素の濃度を設定するので、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
【００１４】
請求項５に記載の発明は、請求項４に記載の画像情報処理装置において、
前記網点の縁部分及び前記領域の縁部分に係る画素の濃度と、当該画素の濃度設定の基準となる基準色調情報とが対応付けられて規定された濃度設定基準情報を記憶する基準情報記憶部を備え、
前記縁部分濃度設定手段は、前記基準情報記憶部に記憶された前記濃度設定基準情報の前記基準色調情報と前記色調情報取得手段にて取得された前記網点色調情報とを比較判定する色調情報判定手段を備え、前記色調情報判定手段による判定結果に基づいて、前記網点の縁部分及び前記領域の縁部分に係る画素の濃度を設定することを特徴としている。
【００１５】
請求項５に記載の発明によれば、請求項４に記載の発明と同様の効果が得られるのは無論のこと、特に、基準情報記憶部に記憶された濃度設定基準情報の基準色調情報と色調情報取得手段にて取得された網点色調情報との比較の判定結果に基づいて、網点の縁部分及び複数の網点が重なり合ってなる領域の縁部分に係る画素の濃度を設定することができる。即ち、基準色調情報に基づいて画素の濃度設定を適正に行うことができることとなり、網点画像の再現性をより適正に向上させることができる。
【００１６】
請求項６に記載の発明は、請求項５に記載の画像情報処理方法において、
前記濃度設定基準情報は、前記網点の縁部分及び前記領域の縁部分に係る画素の濃度が当該網点の前記縁部分よりも内側の画素の濃度に基づいて規定されていることを特徴としている。
【００１７】
請求項６に記載の発明によれば、請求項５に記載の発明と同様の効果が得られるのは無論のこと、特に、濃度設定基準情報は、網点の縁部分及び複数の画素が重なり合ってなる領域の縁部分に係る画素の濃度が当該網点に係る縁部分よりも内側の画素の濃度に基づいて規定されているので、縁部分よりも内側の画素の濃度を考慮して、網点の縁部分及び領域の縁部分に係る画素の濃度を設定することができる。
【００１８】
請求項７に記載の発明は、
画像出力手段により網点画像情報に基づいて網点画像を記録媒体に画像形成する画像形成方法であって、
前記網点画像情報に基づいて、前記網点画像を構成する網点の縁部分及び複数の網点が重なり合ってなる領域の縁部分を検出する縁部分検出工程と、
前記画像出力手段の画像の出力特性に係る画像出力特性情報に基づいて規定された網点画像の色調に係る網点色調情報を取得する色調情報取得工程と、
前記色調情報取得工程にて取得された前記網点色調情報に基づいて、前記縁部分検出工程にて検出された前記網点の縁部分及び前記領域の縁部分に係る画素の濃度を設定する縁部分濃度設定工程と、
前記縁部分濃度設定工程にて設定された前記網点の縁部分及び前記領域の縁部分に係る画素の濃度に従って前記網点画像情報の補正を行う画像補正処理工程と、を備え、
前記画像補正処理工程にて補正された前記網点画像情報に基づいて前記網点画像の画像形成を行うことを特徴としている。
【００１９】
請求項７に記載の発明によれば、網点画像の色調に係る網点色調情報に基づいて、網点の縁部分及び複数の網点が重なり合ってなる領域の縁部分に係る画素の濃度を設定するので、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、補正された網点画像情報に基づいて網点画像の画像形成を行うことにより、網点画像の再現性を向上させることができる。
【００２０】
請求項８に記載の発明は、
画像出力手段により記録媒体に画像形成される網点画像に係る網点画像情報の補正を行う画像情報処理装置と、前記記録媒体に関連する媒体関連情報と対応付けて、前記画像出力手段の画像の出力特性に係る画像出力特性情報に基づいて規定された網点画像の色調に係る網点色調情報を記憶する情報記憶装置と、を備える画像出力システムであって、
前記画像情報処理装置は、
前記網点画像情報に基づいて、前記網点画像を構成する網点の縁部分及び複数の網点が重なり合ってなる領域の縁部分を検出する縁部分検出手段と、
前記縁部分検出手段にて検出された前記網点の縁部分及び前記領域の縁部分に係る画素の濃度を設定する縁部分濃度設定手段と、
前記媒体関連情報を取得する媒体関連情報取得手段と、
前記媒体関連情報取得手段にて取得された前記媒体関連情報を前記情報記憶装置に対して出力する関連情報出力手段と、を備え、
前記情報記憶装置は、
前記関連情報出力手段から出力され入力された前記媒体関連情報に対応する前記網点色調情報を取得する色調情報取得手段と、
前記色調情報取得手段にて取得された前記網点色調情報を前記画像情報処理装置に対して出力する色調情報出力手段と、を備え、
前記縁部分濃度設定手段は、前記色調情報出力手段から出力され入力された前記網点色調情報に基づいて、前記網点の縁部分及び前記領域の縁部分に係る画素の濃度を設定することを特徴としている。
【００２１】
請求項８に記載の発明によれば、網点画像の色調に係る網点色調情報に基づいて、網点の縁部分及び複数の網点が重なり合ってなる領域の縁部分に係る画素の濃度を設定するので、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
また、画像情報処理装置は、媒体関連情報と対応付けて情報記憶装置に記憶された網点色調情報に基づいて、網点の縁部分及び領域の縁部分に係る画素の濃度を設定することができるとともに、画像情報処理装置に網点色調情報を記憶しておくための情報記憶手段を設ける必要がなくなり、当該画像情報処理装置の内部構成を簡略化してコスト低下を図ることができる。
【発明の効果】
【００２２】
請求項１に記載の発明によれば、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
【００２３】
請求項２に記載の発明によれば、記録媒体に応じて網点色調情報を適正に取得することができる。従って、網点画像情報の補正をより適正に行うことができる。
【００２４】
請求項３に記載の発明によれば、実際に記録媒体に画像形成された色調取得用網点画像に基づいて、当該画像に係る網点色調情報を取得することができることとなって、網点画像の再現性の向上をより適正に図ることができる。
【００２５】
請求項４に記載の発明によれば、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
【００２６】
請求項５に記載の発明によれば、基準色調情報に基づいて画素の濃度設定を適正に行うことができることとなり、網点画像の再現性をより適正に向上させることができる。
【００２７】
請求項６に記載の発明によれば、縁部分よりも内側の画素の濃度を考慮して、網点の縁部分及び領域の縁部分に係る画素の濃度を設定することができる。
【００２８】
請求項７に記載の発明によれば、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、補正された網点画像情報に基づいて網点画像の画像形成を行うことにより、網点画像の再現性を向上させることができる。
【００２９】
請求項８に記載の発明によれば、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
また、画像情報処理装置は、媒体関連情報と対応付けて情報記憶装置に記憶された網点色調情報に基づいて、網点の縁部分及び領域の縁部分に係る画素の濃度を設定することができるとともに、画像情報処理装置に網点色調情報を記憶しておくための情報記憶手段を設ける必要がなくなり、当該画像情報処理装置の内部構成を簡略化してコスト低下を図ることができる。
【発明を実施するための最良の形態】
【００３０】
以下に、本発明について、図面を用いて具体的な態様を説明する。ただし、発明の範囲は、図示例に限定されない。
【００３１】
［第一の実施の形態］
図１は、本発明を適用した第一の実施の形態として例示する画像情報処理装置の要部構成を示すブロック図である。
図１に示すように、本実施の形態の画像情報処理装置１００は、記録媒体に画像形成される網点画像に係る網点画像情報の補正を行うためのものであり、制御部１と、ＲＡＭ２と、ＲＯＭ３と、色調情報取得部４と、情報記憶部５と、画像出力部６とを備え、これら各部はバスＸ１により接続されている。
【００３２】
制御部１は、例えばＣＰＵ（Central Processing Unit）等から構成され、ＲＯＭ３に格納されている所定のプログラムを読み出してＲＡＭ２の作業領域に展開し、当該プログラムに従って各種処理を実行する。具体的には、制御部１は、所定の制御プログラムに従って、網点画像に係る網点画像情報の補正を行う画像補正処理を実行する。
この画像補正処理において、例えば、制御部１は、縁部分検出手段として、縁部分検出プログラムに従って、図示しない所定の入力手段を介して入力された網点画像情報に基づいて、網点画像を構成する例えばイエロー（Ｙ）、マゼンタ（Ｍ）、シアン（Ｃ）等の色成分の網点の縁部分を検出する。ここで、制御部１は、複数の網点を重ねることで所定の色を再現するものにあっては、重なり合ってなる重複領域の縁部分を検出するようになっている。
なお、縁部分とは、網点若しくは重複領域の端部に沿う内側及び外側の部分のことであり、縁部分に係る画素とは、例えば、網点及び重複領域を構成する画素のうち、端部よりも内側及び外側の例えば１列分若しくは２列分の画素のことである。
【００３３】
また、制御部１は、色調情報取得プログラムに従って、色調情報取得部４を制御して、画像出力部６にて網点画像が画像形成される記録媒体から当該記録媒体に付与された網点色調情報を取得する。
ここで、網点色調情報は、当該画像情報処理装置１００における画像の出力特性に係る画像出力特性情報に基づいて規定され、記録媒体に画像形成される網点画像の色調に係る情報のことである。具体的には、網点色調情報としては、例えば、Ｌ*ａ*ｂ*表色系にて規定される色相と彩度を示す色度ａ*や色度ｂ*が挙げられる。これに加えて、ハンターＬａｂ表色系や、マンセル表色系、Ｌｕ*ｖ*表色系等にて規定されるものを網点色調情報として用いても良い。
なお、画像出力特性情報は、記録媒体に応じて規定された、例えば当該記録媒体のロット差や製造後使用するまでの経過時間等の画像形成の特性に係る画像形成特性情報のことであり、具体的には、例えば図２に示すように、濃度特性テーブルＴ１に規定されており、所定の濃度制御指数と関連付けられ、記録媒体に出力される画像を構成する各色成分の濃度情報のことである。また、濃度制御指数としては、例えば、ハロゲン化銀感光材料である記録媒体に対して画像形成を行う画像出力部６を備える構成の場合において、画像出力部６からの露光量等が挙げられる。
【００３４】
また、制御部１は、色調情報判定手段として、色調情報判定プログラムに従って、色調情報取得部４にて取得された網点色調情報と、情報記憶部５に記憶された濃度設定基準情報の基準色調情報とを比較判定する。
ここで、情報記憶部５には、各網点の縁部分に係る画素の濃度と、当該画素の濃度設定の基準となる基準色調情報とが対応付けられて規定された濃度設定基準情報としての画素濃度設定テーブルＴ２が記憶されている。具体的には、画素濃度設定テーブルＴ２には、例えば図３に示すように、マゼンタ（Ｍ）成分に対応する網点について、当該網点の中央部分（縁部分よりも内側の部分）の基準色調情報ａ*（±０の欄）に対する所定の網点色調差Δａ*（例えば、±０．５、±１．０）毎に、各網点の縁部分に係る画素の濃度を設定するための濃度補正指数が規定されている。また、画素濃度設定テーブルＴ２は、網点の縁部分に係る画素の濃度が当該網点の中央部分の画素の濃度に基づいて規定されている。つまり、網点の中央部分の網点濃度（濃度範囲を指数０〜２．００の範囲で示す）に対して、所定濃度毎（指数で０．１刻み）に濃度補正指数が規定されている。
【００３５】
さらに、制御部１は、縁部分濃度設定手段として、縁部分濃度設定プログラムに従って、網点の縁部分及び重複領域の縁部分に係る画素の濃度を設定する。即ち、制御部１は、上記の判定結果に基づく網点色調差Δａ*に応じて画素濃度設定テーブルＴ２から濃度補正指数を取得し、その濃度補正指数に基づいて、例えばマゼンタ（Ｍ）成分の網点の縁部分及び縁部分検出手段としての制御部１にて検出されたマゼンタ（Ｍ）成分の網点との重複領域の縁部分に係る画素の濃度を設定する。
これにより、例えば、縦・横それぞれ７画素からなる網点Ａにおいて（図４（ａ）参照）、その端部より内側１列分の画素の濃度が低くされた網点Ａ１としたり（図４（ｂ）参照）、内側１列分の画素の濃度が高くされた網点Ａ２とすることができる（図４（ｃ）参照）。
より具体的には、制御部１は、情報記憶部５から網点の縁部分の色を再現するためのイエロー（Ｙ）、マゼンタ（Ｍ）、シアン（Ｃ）等の色成分比が規定されたカラーコレクションテーブルＴ３（図５（ａ）参照）を読み出して、このカラーコレクションテーブルＴ３のうち、例えばマゼンタ（Ｍ）成分に係る網点Ｍの縁部分及び重複領域の縁部分、即ち、図５（ｂ）における領域Ｒ内の画素の濃度を設定する。従って、例えば図６に示すように、イエロー（Ｙ）成分及びシアン（Ｃ）成分の網点Ｙ、Ｃと重ならずマゼンタ（Ｍ）成分の網点Ｍのみの領域Ｍ１、マゼンタ（Ｍ）成分の網点Ｍとイエロー（Ｙ）成分の網点Ｙとが重なった領域Ｍ２、マゼンタ（Ｍ）成分の網点Ｍとシアン（Ｃ）成分の網点Ｃとが重なった領域Ｍ３、３つの色成分の網点Ｙ、Ｍ、Ｃ全てが重なった領域Ｍ４のそれぞれの内側の縁部分について、画素の濃度を設定するようになっている。
なお、図４並びに後述する図７及び図９にあっては、ドット数が少ないほど濃度が低いものとする。また、図５のカラーコレクションテーブルＴ３にあっては、例えば、各色成分が２５６階調で表現されている。
【００３６】
また、制御部１の制御下における網点の縁部分の画素の濃度設定にあっては、例えば図７に示すように、網点Ａの端部よりも外側に、その中央部分よりも濃度が低められた画素を１列分付加することにより、外側１列分の画素の濃度が低くされた網点Ａ３としたり（図７（ａ）参照）、外側１列分の画素の濃度が高くされた網点Ａ４としても良い（図７（ｂ）参照）。さらに、図７（ａ）の網点Ａ３において、当該網点Ａ３の端部よりも内側１列分の画素を除く中央部分の画素の濃度をゼロとなるようにした網点Ａ５としても良い（図７（ｃ）参照）。
【００３７】
また、上記の縁部分濃度設定処理にあっては、制御部１は、網点の縁部分及び重複部分の縁部分において濃度が設定される画素数を設定するようになっている。即ち、制御部１は、情報記憶部５に記憶され、各網点の中央部分（縁部分よりも内側の部分）の基準色調情報（±０の欄）に対する所定の網点色調差Δａ*（例えば、±０．５、±１．０）毎に、濃度設定される画素数が規定された画素数設定テーブルＴ４に基づいて、例えば網点を構成する画素のうち、端部よりも内側にて濃度設定される画素数の割合（図中、−「マイナス」が付加された数値で示す。）及び外側にて濃度設定される画素数の割合を算出するようになっている（図８参照）。
これにより、例えば、網点Ａの端部より内側１列分の画素のうち、所定位置の画素の濃度を高くした網点Ａ６としたり（図９（ａ）参照）、濃度を低くした網点Ａ７とすることができる（図９（ｂ）参照）。また、網点Ａの端部よりも外側に、その中央部分と略等しい濃度の画素を所定位置に付加した網点Ａ８としたり（図９（ｃ）参照）、中央部分よりも濃度が低められた画素を所定位置に付加した網点Ａ９とすることができる（図９（ｄ）参照）。ここで、濃度設定される画素の位置は、ランダムに設定されても良いし、所定数の画素が連続して配設されるようにしても良いが、高精細な網点画像の出力を図る上では、網点の周囲長が長くならないように所定数の画素を連続して配設するのが好ましい。
なお、画素数設定テーブルＴ４は、上記した画素濃度設定テーブルＴ２と同様に、濃度設定される網点の縁部分に係る画素数が当該網点の中央部分の画素の濃度に基づいて規定されている。つまり、網点の中央部分の網点濃度（濃度範囲を指数０〜２．００の範囲で示す）に対して、所定濃度毎（指数で０．１刻み）に画素数の割合が規定されている。
【００３８】
また、制御部１は、画像補正処理プログラムに従って、縁部分濃度設定手段としての制御部１により設定された網点の縁部分及び重複領域の縁部分に係る画素の濃度に従って網点画像情報の補正を行う。
【００３９】
ＲＡＭ（Random Access Memory）２は、例えば、揮発性の半導体メモリであり、制御部１により実行される各種プログラムの作業領域（図示略）等を構成している。
【００４０】
ＲＯＭ（Read Only Memory）３は、読み出し専用のメモリであり、縁部分検出プログラム、色調情報取得プログラム、色調情報判定プログラム、縁部分濃度設定プログラム、画像補正処理プログラム等を記憶している。
【００４１】
色調情報取得部４は、制御部１の制御下にて、記録媒体に付与された例えばＩＣタグに記憶されている網点色調情報をＲＦＩＤ（Radio Frequency Identification）方式により読み取るＲＦＩＤリーダ等を備えて構成されている。
また、色調情報取得部４は、取得した網点色調情報を制御部１に対して出力するようになっている。
なお、網点色調情報がバーコード等のラベルを用いて記録媒体に付加されている構成の場合には、色調情報取得部４は、ラベルに記憶されている網点色調情報を読み取り可能な所定のバーコードリーダ等を適用することができる。
【００４２】
情報記憶部５は、例えば、書き替え自在に構成されたメモリであり、画素濃度設定テーブルＴ２、カラーコレクションテーブルＴ３、画素数設定テーブルＴ４等を記憶する。
【００４３】
画像出力部６は、所定の記録媒体に網点画像情報に基づいて網点画像を画像形成（出力）可能な構成であれば如何なる構成であっても良く、例えば図示は省略するが、網点画像情報のデジタル画像信号に基づき強度変調されたレーザ光をハロゲン化銀感光材料である記録媒体上を照射することにより露光し、記録媒体に潜像を形成する露光部と、露光部にて潜像が形成された記録媒体を現像処理する現像処理部とを備えている。
また、画像出力部６は、記録媒体を収納する所定の記録媒体収納部を有しており、この記録媒体収納部には、網点色調情報を記憶するＩＣタグやラベル等が設けられている。なお、ＩＣタグやラベル等は、記録媒体収納部に設けられずに記録媒体の所定位置に設けられても良い。
【００４４】
次に、画像情報処理装置１００による網点画像の出力に係る画像出力処理について図１０を参照して詳細に説明する。
ここで、図１０は、画像出力処理に係る動作の一例を示すフローチャートである。
【００４５】
本発明に係る画像情報処理装置１００にあっては、画像出力処理として画像出力部６により記録媒体に対して網点画像を形成する画像形成処理を行うように構成されており、この処理において、所定の入力手段を介して入力された網点画像に係る網点画像情報を補正する画像情報処理を行うようになっている。
この画像情報処理において、制御部１は、網点画像情報に基づいて、網点画像を構成する網点の縁部分及び重複領域の縁部分を検出し（縁部分検出工程）、その後、記録媒体から画像出力特性情報に基づいて規定された網点画像の色調に係る網点色調情報を取得し（色調情報取得工程）、網点色調情報に基づいて、網点の縁部分及び重複領域の縁部分に係る画素の濃度を設定する（縁部分濃度設定工程）。
【００４６】
即ち、図１０に示すように、制御部１は、ＲＯＭ３から縁部分検出プログラムを読み出してＲＡＭ２に展開し、この縁部分検出プログラムに従って、網点画像情報に基づいて、記録媒体に画像形成される網点画像を構成する例えばイエロー（Ｙ）、マゼンタ（Ｍ）、シアン（Ｃ）等の色成分の網点の縁部分及び重複領域の縁部分を検出する（ステップＳ１；縁部分検出工程）。
【００４７】
次に、制御部１は、ＲＯＭ３から色調情報取得プログラムを読み出してＲＡＭ２に展開し、この色調情報取得プログラムに従って、色調情報取得部４を制御することにより、記録媒体に付与された網点色調情報を取得する（ステップＳ２；色調情報取得工程）。
そして、制御部１は、ＲＯＭ３から色調情報判定プログラムを読み出してＲＡＭ２に展開し、この色調情報判定プログラムに従って、色調情報取得工程にて取得された網点色調情報と、情報記憶部５から読み出された画素濃度設定テーブルＴ２の基準色調情報とを比較判定する（ステップＳ３；色調情報判定工程）。
続けて、制御部１は、色調情報判定工程における判定結果に基づいて、ＲＯＭ３から縁部分濃度設定プログラムを読み出してＲＡＭ２に展開し、この縁部分濃度設定プログラムに従って、網点の縁部分及び重複領域の縁部分に係る画素の濃度を設定する（ステップＳ４；縁部分濃度設定工程）。
【００４８】
その後、制御部１は、ＲＯＭ３から画像補正処理プログラムを読み出してＲＡＭ２に展開し、この画像補正処理プログラムに従って、縁部分濃度設定工程にて設定された網点の縁部分及び重複領域の縁部分に係る画素の濃度に従って網点画像情報の補正を行う（ステップＳ５；画像補正処理工程）。
【００４９】
そして、上記のようにして補正された網点画像情報に基づいて、制御部１は、画像出力部６を制御して、記録媒体に対して網点画像の形成を行う（ステップＳ６）
【００５０】
以上のように、本実施の形態の画像情報処理装置１００によれば、制御部１は、網点色調情報に基づいて、網点の縁部分及び重複領域の縁部分に係る画素の濃度を設定するので、網点の縁部分及び領域の縁部分よりも内側の部分の色調を変化させないで網点画像の色調を変化させるように網点画像情報を適正に補正することができる。即ち、画像出力特性情報を考慮して網点画像情報の補正を適正に行うことができる。具体的には、色調情報取得部４は、画像出力特性情報としての記録媒体の画像形成の特性に係る画像形成特性情報に基づいて規定された網点色調情報を記録媒体から取得するので、記録媒体に応じて網点色調情報の取得を適正に行うことができ、取得された網点色調情報に基づいて、網点画像情報の補正を適正に行うことができる。
従って、網点画像の再現性を向上させることができる。
【００５１】
さらに、情報記憶部５に記憶された画素濃度設定テーブルＴ２の基準色調情報と、網点色調情報との判定結果に基づいて、網点の縁部分及び重複領域の縁部分に係る画素の濃度を設定することができる。即ち、基準色調情報に基づいて画素の濃度設定を適正に行うことができることとなり、網点画像の再現性をより適正に向上させることができる。
ここで、画素濃度設定テーブルＴ２は、網点の縁部分及び重複領域の縁部分に係る画素の濃度が当該網点に係る縁部分よりも内側の画素の濃度に基づいて規定されているので、縁部分よりも内側の画素の濃度を考慮して、網点の縁部分及び重複領域の縁部分に係る画素の濃度を設定することができる。
【００５２】
なお、上記第一の実施の形態では、図６に示すように、マゼンタ（Ｍ）成分に係る網点Ｍの縁部分及び重複領域の縁部分の画素の濃度を設定するような構成としたが、イエロー（Ｙ）、マゼンタ（Ｍ）、シアン（Ｃ）等の全ての色成分の網点Ｙ、Ｍ、Ｃに係る画素の濃度を設定しても良いし、これらのうちの何れか２つの色成分の網点に係る画素の濃度を設定しても良い。
【００５３】
［第二の実施の形態］
以下に、第二の実施の形態の画像情報処理装置について、図１１を参照して説明する。
ここで、図１１は、本発明を適用した第二の実施の形態として例示する画像情報処理装置２００の要部構成を示すブロック図である。
【００５４】
第二の実施の形態の画像情報処理装置２００は、画像出力部２６により記録媒体に形成された所定の色調取得用網点画像に基づいて、その画像に係る網点色調情報を取得するようになっている。
即ち、図１１に示すように、画像情報処理装置２００は、網点色調情報を取得するための色調取得用画像情報に基づいて、記録媒体に画像形成された色調取得用網点画像から網点色調情報を読み取る情報読取部２４を備えている。ここで、色調取得用網点画像として、例えば、当該画像情報処理装置に入力された網点画像情報に基づいて画像形成される網点画像を適用しても良い。
この情報読取部２４は、例えば、光源、レンズ、ＣＣＤ（Charge Coupled Device）、Ａ／Ｄ変換部等により構成されており、制御部２１の制御下にて、記録媒体上の網点画像に対して光源から照明走査し、この反射光をＣＣＤにより読み取って電気信号（アナログ信号）に変換し、この電気信号をＡ／Ｄ変換部により画像情報（デジタル信号）に変換する。そして、制御部２１による所定の演算プログラムの実行に従って、画像情報に基づいて網点色調情報を算出する。
また、制御部２１は、上記のようにして取得された網点色調情報と、画素濃度設定テーブルＴ２の基準色調情報とを比較判定する。
なお、制御部２１、ＲＡＭ２２、ＲＯＭ２３、情報読取部２４、情報記憶部２５、画像出力部２６は、バスＸ２により接続されている。
【００５５】
以上のように、本実施の形態の画像情報処理装置２００によれば、実際に記録媒体に画像形成された色調取得用網点画像に基づいて、当該画像に係る網点色調情報を取得することができるので、網点画像の再現性の向上をより適正に図ることができる。
【００５６】
なお、上記第一及び第二の実施の形態の画像情報処理装置１００、２００は、所定のネットワーク上の情報記憶装置（図示略）と各種情報を通信可能に接続されても良い。即ち、第一若しくは第二の実施の形態の画像情報処理装置１００、２００において取得された網点色調情報を所定の通信手段を介して情報記憶装置に送信して、当該情報記憶装置に一時的に格納しておき、必要に応じて取得して使用するような構成としても良い。
これにより、画像情報処理装置１００、２００に網点色調情報を記憶しておくための大容量の記憶手段を備える必要がなくなり、当該画像情報処理装置１００、２００の内部構成を簡略化してコスト低下を図ることができる。
また、網点色調情報は、情報記憶装置に記憶される毎に更新されるような構成としても良い。
【００５７】
また、上記第二の実施の形態では、情報読取部２４にて記録媒体に画像形成された網点画像から網点画像情報を読み取って、網点画像情報に基づいて網点色調情報を算出するような構成としたが、これに限られるものではなく、例えば、記録媒体上の網点画像に対して所定の色の光（Ｂ、Ｇ、Ｒ光）を照射して、その反射率に基づいて網点の濃度情報を取得し、取得した濃度情報に基づいて網点色調情報を取得するような構成であっても良い。
【００５８】
［第三の実施の形態］
以下に、第三の実施の形態の画像出力システムについて、図１２〜図１４を参照して説明する。
ここで、図１２は、本発明を適用した第三の実施の形態として例示する画像出力システム３００の概略構成を示す図であり、図１３は、画像出力システム３００を構成する画像情報処理装置３０１の要部構成を示すブロック図であり、図１４は、画像出力システム３００を構成する情報記憶装置４００の要部構成を示すブロック図である。
【００５９】
図１２に示すように、本発明が適用された画像出力システム３００は、複数（図１２には、３つのみ図示）の画像情報処理装置３０１、３０２、３０３と、画像情報処理装置３００の各々にて用いられる記録媒体に関連する媒体関連情報と対応付けて規定された網点色調情報を記憶する情報記憶装置４００とを備え、これら装置どうしが所定のネットワークＮを介して接続されている。
【００６０】
画像情報処理装置３０１は、図１３に示すように、制御部３１と、ＲＡＭ３２と、ＲＯＭ３３と、関連情報取得部３４と、通信部３５と、画像出力部３６とを備え、これら各部はバスＸ３により接続されている。
関連情報取得部３４は、媒体関連情報を取得する媒体関連情報取得手段を構成し、具体的には、上記実施の形態における色調情報取得部４と略同様の構成となっており、制御部３１の制御下にて、記録媒体に付与された例えばＩＣタグに記憶されている記録媒体のＬｏｔ．番号等の媒体関連情報をＲＦＩＤ（Radio Frequency Identification）方式により読み取るＲＦＩＤリーダ等を備えている。
また、関連情報取得部３４は、取得した媒体関連情報を通信部３５に対して出力するようになっている。
なお、記録媒体に媒体関連情報がバーコード等のラベルを用いて記録媒体に付加されている構成の場合には、関連情報取得部３４は、ラベルに記憶されている媒体関連情報を読み取り可能な所定のバーコードリーダ等を適用することができる。
【００６１】
通信部３５は、例えば、制御部３１の制御下にて情報記憶装置との間で各種情報の送受信を行うための例えばＵＳＢ（Universal Serial Bus）や無線ＬＡＮ等のインターフェースを備えて構成されている。即ち、通信部３５は、関連情報取得部３４にて取得された媒体関連情報を情報記憶装置４００に対して送信（出力）する関連情報出力手段を構成している。また、通信部３５は、情報記憶装置４００の通信部４５から送信された網点色調情報を受信するように構成されている。
なお、制御部３１、ＲＡＭ３２、ＲＯＭ３３、画像出力部３６は、上記実施の形態と略同様の構成となっており、その説明を省略する。
【００６２】
情報記憶装置４００は、図１４に示すように、制御部４１と、ＲＡＭ４２と、ＲＯＭ４３と、情報記憶部４４と、通信部４５とを備え、これら各部はバスＸ４により接続されている。
情報記憶部４４は、例えば、ハードディスクドライブ等から構成され、媒体関連情報と対応付けて規定された網点色調情報を記憶している。
制御部４１は、色調情報取得手段として、ＲＯＭ４３から読み出されＲＡＭ４２の所定領域に展開された色調情報取得プログラムに従って、画像情報処理装置３０１の通信部３５から送信され、通信部４５を介して受信（入力）された媒体関連情報に対応する網点色調情報を情報記憶部４４から取得する。
通信部４５は、制御部４１にて取得された網点色調情報を画像情報処理装置３０１に対して送信（出力）する色調情報出力手段を構成している。
【００６３】
従って、本実施の形態の画像出力システム３００によれば、画像情報処理装置３０１は、情報記憶装置４００から送信され受信された網点色調情報に基づいて、網点の縁部分及び重複領域の縁部分に係る画素の濃度を設定するので、網点に係るベタ画像部分の色調を変化させないで網点画像の色調を変化させるように網点画像情報を適正に補正することができる。即ち、画像出力特性情報を考慮して網点画像情報の補正を適正に行うことができ、網点画像の再現性を向上させることができる。
また、画像情報処理装置３０１は、媒体関連情報と対応付けて情報記憶装置４００に記憶された網点色調情報に基づいて、網点の縁部分及び重複領域の縁部分に係る画素の濃度を設定することができるとともに、画像情報処理装置３０１に網点色調情報を記憶しておくための情報記憶手段を設ける必要がなくなり、当該画像情報処理装置３０１の内部構成を簡略化してコスト低下を図ることができる。
【００６４】
なお、上記実施の形態において、情報記憶装置４００に替えて当該画像出力システム３００の管理用の管理サーバを設けて、この管理サーバに媒体関連情報に対応付けて画像出力特性情報を記憶するような構成であっても良い。
また、本発明は、上記実施の形態に限定されることなく、本発明の趣旨を逸脱しない範囲において、種々の改良並びに設計の変更を行っても良い。
例えば、上記実施の形態では、縁部分の画素の濃度を設定するために、濃度設定基準情報としての画素濃度設定テーブルＴ２の基準色調情報と取得した網点色調情報とを比較する構成としたが、これに限られるものではなく、例えば、取得した網点色調情報の絶対値の増減度合に基づいて濃度設定を行っても良い。この場合において、網点画像を複数色、例えばイエロー（Ｙ）、マゼンタ（Ｍ）、シアン（Ｃ）等の色成分から構成する場合には、これら複数の色成分に係る網点色調情報の相対値を画素の濃度設定に反映させるようにしても良い。
【００６５】
さらに、網点の形状として略正方形を例示したが、これに限られるものではなく、画像形成される網点画像や記録媒体の種類等に応じて適宜任意に設定変更可能となっている。
また、上記実施の形態では、画像出力部６を露光部と現像処理部からなる構成としたが、これに限られるものではなく、例えば、インクジェット式等により、記録媒体上に所定の網点画像を形成して出力するような構成であっても良い。
さらに、縁部分に係る画素の濃度設定を、網点色調情報に加えて、網点画像の線数やＡＭ（Amplitude Modulation）スクリーニングやＦＭ（Frequency Modulation）スクリーニング等のスクリーニング方式により、画素濃度設定テーブルを変更しても良く、これにより、網点画像の再現性をより向上させることができる。
加えて、画像出力部６、２６、３６の画像の出力特性に係る画像出力特性情報としては、記録媒体の画像形成の特性に係る画像形成特性情報を例示したが、これに限られるものではなく、例えば、装置の個体差、現像液活性レベルなどの装置の稼働状態等に係る特性として規定されたものであっても良い。
【００６６】
また、上記実施の形態では、画像情報処理装置１００（２００、３０１）、情報記憶装置４００に係る機能は、集積回路からなる中央処理装置（ＣＰＵ）によって、所定のプログラム等が実行されることにより実現される構成としたが、これに限られるものではなく、例えば、各種機能を実現するためのロジック回路から構成されても良い。
【００６７】
さらに、本発明にあっては、画素濃度設定テーブルＴ２、カラーコレクションテーブルＴ３、画素数設定テーブルＴ４等に規定された数値は適宜任意に変更可能となっている。
また、網点画像を構成する色は、イエロー（Ｙ）、マゼンタ（Ｍ）、シアン（Ｃ）に限られるものではなく、これらの色に加えて、ブラック（Ｋ）や特色等を用いても良い。
【図面の簡単な説明】
【００６８】
【図１】本発明を適用した第一の実施の形態として例示する画像情報処理装置の要部構成を示すブロック図である。
【図２】図１の画像情報処理装置による画像補正処理における濃度特性テーブルを示す図である。
【図３】図１の画像情報処理装置による画像補正処理に係る画素濃度設定テーブルを示す図である。
【図４】図３の画像補正処理において濃度が設定された網点の模式図である。
【図５】図１の画像情報処理装置による画像補正処理に係るカラーコレクションテーブルを示す図である。
【図６】図５の画像補正処理において濃度が設定された網点の模式図である。
【図７】図１の画像情報処理装置による画像補正処理を説明するための網点の模式図である。
【図８】図１の画像情報処理装置による画像補正処理に係る画素数設定テーブルを示す図である。
【図９】図８の画像補正処理において濃度が設定された網点の模式図である。
【図１０】図１の画像情報処理装置による画像補正処理に係る動作の一例を示すフローチャートである。
【図１１】本発明を適用した第二の実施の形態として例示する画像情報処理装置の要部構成を示すブロック図である。
【図１２】本発明を適用した第三の実施の形態として例示する画像出力システムの概略構成を示す図である。
【図１３】図１１の画像出力システムを構成する画像情報処理装置の要部構成を示すブロック図である。
【図１４】図１１の画像出力システムを構成する情報記憶装置の要部構成を示すブロック図である。
【符号の説明】
【００６９】
１００、２００、３０１、３０２、３０３  画像情報処理装置
１、２１、３１  制御部（縁部分検出手段、縁部分濃度設定手段）
４      色調情報取得部
５、２５  情報記憶部
Ｔ２    画素濃度設定テーブル（濃度設定基準情報）
６、２６、３６  画像出力部（画像出力手段）
２４    情報読取部
３４    関連情報取得部（媒体関連情報取得手段）
３５    通信部（関連情報出力手段）
３００  画像出力システム
４００  情報記憶装置
４１    制御部（色調情報取得手段）
４５    通信部（色調情報出力手段）
【図１】
2005268900.tif 000003
【図２】
2005268900.tif 000004
【図３】
2005268900.tif 000005
【図４】
2005268900.tif 000006
【図５】
2005268900.tif 000007
【図６】
2005268900.tif 000008
【図７】
2005268900.tif 000009
【図８】
2005268900.tif 000010
【図９】
2005268900.tif 000011
【図１０】
2005268900.tif 000012
【図１１】
2005268900.tif 000013
【図１２】
2005268900.tif 000014
【図１３】
2005268900.tif 000015
【図１４】
2005268900.tif 000016